(57)【特許請求の範囲】
【請求項１】
前身頃の襟元から胸元にかけて縫い付けられたファスナーと、前記ファスナーの胸元側の開き止まり部分を覆うように縫い付けられる飾り布とを有する上衣において、
前記ファスナーの開き止まり部分において、前記上衣の内側から順に、前記ファスナーと、前記飾り布と、前記前身頃とが重ね合わされており、前記ファスナーの長手方向においては、前記ファスナーと前記飾り布と前記前身頃とが、前記ファスナーの両側端部で前記ファスナーの長手方向に延びる縫い目によって縫合されており、前記ファスナーを横断する方向においては、前記飾り布と前記前身頃とが、前記ファスナーを横断する縫い目によって縫合されているが、前記飾り布と前記ファスナーとが、前記ファスナーを横断する方向に延びる縫い目によって縫合されておらず、前記飾り布と前記ファスナーとの間に、前記ファスナーの長手方向に保持対象物を挿通可能な挿通孔が形成されていることを特徴とする、上衣。
【請求項２】
前身頃の襟元から胸元にかけて前立てが設けられた上衣において、
前記前立ての胸元側端部において、前記前立ての長手方向においては、前記前立てと、前記前立てと重なる前身頃とが、前記前立ての両側端縁近傍で縫合されているが、前記前立てを横断する方向においては、前記前立てと前記前立てと重なる前身頃の少なくとも一部とが、前記前立てを横断する方向に延びる縫い目によって縫合されておらず、前記前立てと前記前立てと重なる前身頃との間に、前記前立ての長手方向に保持対象物を挿通可能な挿通孔が形成されていることを特徴とする、上衣。
【請求項３】
前記挿通孔と連通する袋体を更に備えることを特徴とする、請求項１または２に記載の上衣。
【発明の詳細な説明】
【技術分野】
【０００１】
本発明は、デザイン性を損なわず、眼鏡等を安定的に保持できる挿通孔を設けた上衣に関するものである。
【背景技術】
【０００２】
サングラスや老眼鏡などの頻繁に着脱を行う眼鏡は、外したあと、常時手近なところに置いておきたいが、ズボンのポケットに入れた場合には破損したり変形したりする虞があるので、シャツ等の上衣の胸元に設けられたポケットや上衣そのものに、テンプル部を引っ掛けた状態で眼鏡を保持することがある。また、上衣にポケットがない場合でも眼鏡を引っ掛けることができるように構成した例として、例えば特許文献１及び２に記載されたものがある。特許文献１では、上衣の胸元に帯状の引っ掛け体を設ける構成が開示されている。特許文献２では、上衣の胸元に眼鏡のテンプルを差し込む穴を設ける方法が開示されている。
【先行技術文献】
【特許文献】
【０００３】
【特許文献１】特開平１１−１８０６号公報
【特許文献２】特開平１１−１２４７１５号公報
【発明の概要】
【発明が解決しようとする課題】
【０００４】
外した眼鏡を上衣に設けたポケットに引っ掛けたり挿入したりした場合、かがんだときなどに眼鏡を落としやすいという問題があり、外した眼鏡を安定して保持できるとは言えない。また、特許文献１及び２に記載の方法では、上衣のデザイン性を損ねたり、特別な部材が必要となったりしていた。
【０００５】
本発明の目的は、上衣のデザイン性を損ねることなく、また特別な部材を必要とせず、眼鏡等を安定して保持することができる挿通孔を設けたシャツの上衣を提供することである。
【課題を解決するための手段】
【０００６】
本発明は、前身頃の襟元から胸元にかけて縫い付けられたファスナーと、ファスナーの胸元側の開き止まり部分を覆うように縫い付けられる飾り布とを有する上衣において、ファスナーの開き止まり部分において、上衣の内側から順に、ファスナーと、飾り布と、前身頃とが重ね合わされており、ファスナーの長手方向においては、ファスナーと飾り布と前身頃とが、ファスナーの両側端部でファスナーの長手方向に延びる縫い目によって縫合されており、ファスナーを横断する方向においては、飾り布と前身頃とが、ファスナーを横断する縫い目によって縫合されているが、飾り布とファスナーとを、ファスナーを横断する方向に延びる縫い目によって縫合しないことにより、飾り布とファスナーとの間に、ファスナーの長手方向に保持対象物を挿通可能な挿通孔を設ける。
【０００７】
また、前身頃の襟元から胸元にかけて前立てが設けられた上衣において、前立ての胸元側端部において、前立ての長手方向においては、前立て及びこれと重なる前身頃を、前立ての両側端縁近傍で縫合するが、前立てを横断する方向においては、前立て及びこれと重なる前身頃の少なくとも一部を、前立てを横断する方向に延びる縫い目によって縫合しないことにより、前立てと前立てと重なる前身頃との間に、前立ての長手方向に保持対象物を挿通可能な挿通孔を設ける。
【０００８】
上述の上衣において、挿通孔と連通する袋体を更に備える。
【発明の効果】
【００１１】
本発明によれば、上衣のデザイン性を損ねず、また特別な部材を必要とせずに、眼鏡等を安定に保持することができる上衣を提供することができる。
【図面の簡単な説明】
【００１２】
【図１】第１の実施形態に係る上衣の正面図
【図２】図１に示した上衣の胸元付近の拡大図
【図３】図２を裏側から見た一部破断図
【図４】図２の線Ａ−Ａ´に沿う断面を模式的に示す図
【図５】図２の線Ｂ−Ｂ´に沿う断面を模式的に示す図
【図６】第２の実施形態に係る上衣の襟元から胸元付近の拡大図
【図７】図６の線Ｃ―Ｃ´に沿う断面を模式的に示す図
【図８】図６の線Ｄ―Ｄ´に沿う断面を模式的に示す図
【図９】図６の線Ｅ―Ｅ´での断面の模式図
【図１０】第３の実施形態に係る上衣の胸元付近を裏側から見た図
【図１１】図１０の線Ｆ−Ｆ´に沿う断面を模式的に示す図
【図１２】第４の実施形態に係る上衣の胸元付近を裏側から見た図
【図１３】図１２の線Ｇ−Ｇ´に沿う断面を模式的に示す図
【図１４】図１２の線Ｈ−Ｈ´に沿う断面を模式的に示す図
【図１５】図１２の線Ｉ−Ｉ´に沿う断面を模式的に示す図
【図１６】第５の実施形態に係る上衣の正面図
【図１７】図１６に示した上衣の胸元付近の前立てを裏側から見た図
【図１８】図１７の線Ｊ−Ｊ´に沿う断面を模式的に示す図
【図１９】第６の実施形態に係る上衣の胸元付近の前立てを裏側から見た図
【図２０】変形例に係る上衣の裾付近を裏側から見た図
【発明を実施するための形態】
【００１３】
（第１の実施形態）
図１は、第１の実施形態に係る上衣１の正面図であり、図２は、図１に示した上衣１の胸元付近の拡大図である。ただし、図２においては、眼鏡２の記載を省略している。
【００１４】
上衣１は、前身頃４と、襟元から胸元にかけて開閉自在となるように前身頃に縫い付けられるファスナー３と、ファスナー３の開き止まり部分を覆うように縫い付けられる飾り布２０とを備える。本実施形態に係る上衣１は、飾り布２０とファスナー３との間を部分的に縫い付けないことによって、飾り布２０とファスナー３との間に眼鏡２のテンプル等を挿通可能な挿通孔４０が形成されている点に特徴を有する。以下、挿通孔４０の詳細について説明する。
【００１５】
図３は、図２を裏側から見た一部破断図であり、図４は、図２の線Ａ−Ａ´に沿う断面を模式的に示す図であり、図５は、図２の線Ｂ−Ｂ´に沿う断面を模式的に示す図である。
【００１６】
図３〜５に示すように、飾り布２０が設けられていない部分においては、上衣１の内側から順に、見返し３０と、ファスナー３と、前身頃４とが重ね合わされて縫い付け糸２１によって縫い付けられている。ファスナー３の開き止まり部分においては、上衣１の内側から順に、見返し３０と、ファスナー３と、飾り布２０と、前身頃４とが重ね合わされ、ファスナー３の長手方向に延びる縫い付け糸２１によって縫い付けられている。ファスナー３を横断する方向においては、飾り布２０と、前身頃４とが縫い付け糸２２によって縫い付けられており、見返し３０とファスナー３とが縫い付け糸２３で縫い付けられているが、飾り布２０とファスナー３との間は縫い付けられていない。
【００１７】
尚、このように飾り布２０とファスナー３との間をファスナー３の長手方向に縫い付け、横断方向にのみ縫い付けないようにするには、初めに見返し３０と、ファスナー３と、飾り布２０と、前身頃４とを重ね合わせ、ファスナー３の長手方向に延びる縫い付け糸２１で縫い付けた後、ファスナー３を横断する方向において、飾り布２０と、前身頃４とを縫い付け糸２２によって縫い付け、見返し３０とファスナー３とを縫い付け糸２３で縫い付ければ良い。
【００１８】
このように、飾り布２０とファスナー３との間を、ファスナー３を横断する方向に延びる縫い付け糸２２及び２３によって縫い付けないことによって、飾り布２０とファスナー３との間に挿通孔４０が形成される。この挿通孔４０に眼鏡２のテンプルを差し込むことによって、眼鏡２を引っ掛けて保持することができる。
【００１９】
本実施形態によれば、挿通孔４０に眼鏡２のテンプルを先セルから丁番まで差し込むことができるので、かがんだときなども容易に脱落することなく安定して眼鏡２を保持することができる。また、図１及び２に示すように、眼鏡２を挿通孔４０に引っ掛けていない状態においても、挿通孔４０が外見上見えることがないため、上衣１のデザイン性を損なわない。
【００２０】
本実施形態では、ファスナー３と飾り布２０との縫い付けにおいて、ファスナー３を横断する方向には全く縫い付けを行っていないが、少なくとも眼鏡２のテンプルが差し込める幅だけ縫い付けていなければ良い。
【００２１】
また、本実施形態では、上衣１は立襟を有した半袖の上衣を用いているが、襟の形状あるいは袖の長さによって限定されず、襟元から胸元にかけてファスナーが縫い付けられている上衣ならば良い。
【００２２】
（第２の実施形態）
図６は、上衣６１の襟元から胸元付近の拡大図である。ただし、図６においては、眼鏡２の記載を省略している。
【００２３】
上衣６１は、襟元から胸元にかけて前立て６２と、前立て６２と重なる前身頃６３とを備える。前立て６２と、前身頃６３とが、胸元側端部で縫い合わされている。本実施形態に係る上衣６１は、前立て６２と、前身頃６３との間を部分的に縫い付けないことによって、前立て６２と、前立て６２と重なる前身頃６３との間に眼鏡２のテンプル等を挿通可能な挿通孔７０（図６の斜線部）が形成されている点に特徴を有する。以下、挿通孔７０の詳細について説明する。
【００２４】
図７は、図６の線Ｃ−Ｃ´に沿う断面を模式的に示す図であり、図８は、図６の線Ｄ−Ｄ´に沿う断面を模式的に示す図であり、図９は、図６の線Ｅ−Ｅ´に沿う断面を模式的に示す図である。
【００２５】
図７〜９に示すように、前立て６２と、前身頃６３との縫い付け部分において、上衣６１の内側から順に、前身頃６３と、前立て６２とが、前立て６２の長手方向に延びる縫い付け糸７３によって縫い付けられている。ただし、前立て６２を横断する方向においては、前立て６２の下端部分と前身頃６３との重なり部のうち、端縁７００側の部分７０１は互いに縫い付けられず、端縁７００と反対側の部分７０２は互いに縫い付けられている。より具体的には、端縁７００側と反対側の部分７０２においては、前身頃６３と前立て６２とが、縫い付け糸７１及び７２によって縫い合わされているのに対し、端縁７００側の部分７０１においては、前立て６２と前身頃６３との間は縫い合わされていない。
【００２６】
尚、このように前立て６２と、前身頃６３との間の一部を前立て６２の横断方向にのみ縫い付けないようにするには、初めに、前立て６２と前身頃６３とを重ね合わせ、前立て６２の長手方向に延びる縫い付け糸７３で縫い付けた後、前立て６２を横断する方向において、前立て６２と前身頃６３とを縫い付け糸７１及び７２で部分的に縫い付ければ良い。
【００２７】
このように、前立て６２と、前身頃６３との間を、前立て６２を横断する方向に延びる縫い付け糸７４及び７５によって一部縫い付けないことによって、前立て６２と、前立て６２と重なる前身頃６３との間に挿通孔７０が形成される。この挿通孔７０を利用して、眼鏡２のテンプルを差し込むことによって、眼鏡２を引っ掛けて保持することができる。
【００２８】
本実施形態によれば、挿通孔７０に眼鏡２のテンプルを先セルから丁番まで差し込むことができ、さらに前立て６２で眼鏡２のテンプルを押さえることができるので、かがんだときなども容易に脱落することなくより安定して眼鏡２を保持することができる。また、図６に示すように、眼鏡２を挿通孔７０に引っ掛けていない状態においても、挿通孔７０が外見上見えることがないため、上衣６１のデザイン性を損なわない。
【００２９】
本実施形態では、前立て６２と前身頃６３との重なり部分のうち、一部（図６の斜線部）を縫い付けないことにより挿通孔７０を形成しているが、前立て６２を横断する方向に全く縫い付けを行わず、挿通孔７０を形成しても良い。より具体的には、図６において、前立て６２の下端部分と前身頃６３との重なり部Ｘに設ける挿通孔７０の幅が、前立て６２の幅と略等しくなるように、挿通孔７０を形成してもよい。
【００３０】
また、本実施形態では、襟とボタンを有する左前合わせの上衣を用いているが、襟の形状あるいはボタンの有無に限定されない。また、襟元から胸元にかけて前立てが設けられている上衣ならば、右前でも左前でも良い。
【００３１】
（第３の実施形態）
図１０は、第３の実施形態に係る上衣１１１の胸元付近を裏側から見た図であり、図１１は、図１０の線Ｆ−Ｆ´に沿う断面を模式的に示す図である。第１の実施形態の構成要素と同一または対応する構成要素は同一の参照符号で示し、詳細な説明は省略する。上衣１１１は、第１の実施形態に係る上衣１に、挿通孔４０と連通する袋１１００を備えたものである。以下、袋１１００を備えた上衣１１１の詳細について説明する。
【００３２】
本実施形態では、袋１１００は、表側及び裏側の２枚の布を、底辺を合わせ表側の布の上端が突出するように重ね合わせ、底辺部と側端部とを縫い付け糸１１０１で縫い合わせることによって形成されている。袋１１００の上端側は開放されている。また、袋１１００の表側を構成する布であって、裏側の布とは重ならない部分である上端部１１２０が、第１の実施形態における飾り布２０としての役割を兼ねている。
【００３３】
図１０、１１に示すように、ファスナー３の開き止まり部分においては、上衣１１１の内側から順に、ファスナー３と、袋１１００の上端部１１２０と、前身頃４とが重ね合わされて、ファスナー３の長手方向に延びる縫い付け糸２１によって縫い付けられている。ただし、ファスナー３を横断する方向においては、袋１１００の表側の布と、前身頃４とが縫い付け糸２２によって縫い付けられ、袋１１００の裏側の布と、ファスナー３とが縫い付け糸１１０２によって縫い付けられているが、袋１１００の表側の布と、裏側の布とはファスナー３の横断方向に延びる縫い付け糸によっては縫い付けられておらず、ファスナー３と、前身頃４とはファスナー３の横断方向に延びる縫い付け糸によって縫い付けられていない。
【００３４】
このように縫製することによって、ファスナー３と前身頃４との間には、挿通孔４０が形成されると共に、この挿通孔４０と袋１１００とが連通する。この挿通孔４０にペン１２２を挿通孔４０に差し込むことによって、ペン１２２を上衣１１１内側に落下させることなく保持することができる。また、ペン１２２のペン先などによる、上衣１１１内側に着用する衣服の破損や汚れ、肌が傷つくことを防止することができる。
【００３５】
また、本実施形態では、袋１１００の上端部１１２０が飾り布として機能するように、袋１１００を形成したが、飾り布とは別体で形成した袋を設けてもよい。
【００３６】
（第４の実施形態）
図１２は、第４の実施形態に係る上衣１３１の胸元付近を裏側からみた図であり、図１３は、図１２の線Ｇ−Ｇ´に沿う断面を模式的に示す図であり、図１４は、図１２の線Ｈ−Ｈ´に沿う断面を模式的に示す図であり、図１５は、図１２の線Ｉ−Ｉ´に沿う断面を模式的に示す図である。第２の実施形態の構成要素と同一または対応する構成要素は同一の参照符号で示し、詳細な説明は省略する。上衣１３１は、第２の実施形態に係る上衣６１において、挿通孔７０と連通する袋１３００を更に備えたものである。袋１３００は、布を折り返し、側端部を縫い付け糸１３０１で縫い付けることにより形成したものである。以下、袋１３００を備えた上衣１３１の詳細について説明する。
【００３７】
図１２〜図１５に示すように、前立て６２と、前立て６２に重なる前身頃６３との縫い付け部分において、上衣１３１の内側から順に、前立て６２に重なる前身頃６３と、袋１３００と、前立て６２とが、前立て６２の長手方向に延びる縫い付け糸７３によって縫い付けられている。ただし、前立て６２を横断する方向においては、前立て６２及び前身頃６３の間が部分的に縫い合わされていない。より詳細には、前立て６２及び前身頃６３の重なり部のうち、図１２における左側の部分７０２においては、図１３に示すように、前立て６２と前身頃６３とが縫い付け糸７１で縫い付けられると共に、前立て６２と袋１３００と前身頃６３とが全て縫い付け糸７２で縫い付けられている。一方、前立て６２及び前身頃６３の重なり部のうち、図１２における右側の部分７０１においては、図１４に示すように、前立て６２と前身頃６３とが互いに縫い付けられていない。袋１３００が挟まれた箇所では、前立て６２と袋１３００の表側の布とが縫い付け糸７５によって縫い合わされ、前身頃６３と袋１３００の裏側の布とが縫い付け糸１５０１によって縫い合わされている。
【００３８】
このように縫製することによって、前立て６２と前身頃６３との間には、挿通孔７０が形成されると共に、この挿通孔７０と袋１３００とが連通する。この挿通孔７０にペン１２２を挿通孔７０に差し込むことによって、ペン１２２を上衣１３１内に落下させることなく保持することができる。また、ペン１２２のペン先などによる、上衣１３１内側に着用する衣服の破損や汚れ、肌が傷つくことを防止することができる。
【００３９】
また、本実施形態では、袋１３００を前立て６２及び前立て６２に重なる前身頃６３と別体に形成したが、前立て６２または前立て６２に重なる前身頃６３の一部を構成するために縫い合わせている布を裾側に長く延伸させ、この延伸部分で袋１３００を形成してもよい。
【００４０】
（第５の実施形態）
図１６は、第５の実施形態に係る上衣１７１の正面図であり、図１７は、図１６に示した上衣１７１の胸元付近の前立て１７２を裏側から見た図である。ただし、図１７においては、フレームを除く眼鏡２の記載を省略している。
【００４１】
上衣１７１は、前身頃１７４と、襟元から裾にかけて延びる前立て１７２とを備える。また、前立て１７２の幅方向の略中央にボタンホール１８１が設けられている。前立て１７２は、２枚の布を重ね合わせ周囲を縫い合わせることによって袋状に形成されている。本実施形態にかかる上衣１７１では、前立て１７２の胸元付近におけるボタンホール１８１のない領域に、前立て１７２を横断する方向に延びるスリット１８０が形成されている。このスリット１８０は、前立て１７２を構成する裏側の布にのみ形成されており、上衣１７１の表側からは見えなくなっている。本実施形態では、前立て１７２を構成するために前身頃１７４の裏面に縫い合わされる布を襟元側部１７５と、裾側部１７６とに分離し、裾側部１７６の上端縁と前身頃１７４とを縫い合わせないことによってスリット１８０が形成されている。ただし、必ずしもこのように前立て１７２の幅方向の全体にわたってスリット１８０を形成する必要はなく、２枚合わせの布で構成される前立て１７２のうち、ボタンホール１８１が設けられていない領域において、裏側の布に切れ目が形成されていれば良い。
【００４２】
図１８は、図１７の線Ｊ−Ｊ´に沿う断面を模式的に示す図である。図１７及び図１８に示すように、前立て１７２と、前身頃１７４とが、前立て１７２の長手方向に延びる縫い付け糸１８０１及び１８０２で袋状に縫合されている。したがって、図１８の二点鎖線で示すように、スリット１８０から眼鏡２のテンプルや筆記具等を差し込むことによって、眼鏡２を引っ掛けて保持することができる。
【００４３】
尚、本実施形態では、前立て１７２を横断する方向において、前立て１７２のスリット１８０より襟元側部１７５の裏側の布と、前身頃１７４とが、縫い付け糸１８０３で縫い付けられているが、必ずしも縫い付けられていなくても良い。
【００４４】
本実施形態によれば、スリット１８０に眼鏡２のテンプルを先セルから丁番まで差し込むことができ、眼鏡２のテンプルの先セルをボタンホール１８１に引っ掛けることができるので、眼鏡２を安定に保持することができる。さらに前立て１７２のスリット１８０より裾側部１７６の裏側の布で眼鏡２のテンプルを押さえることができるので、かがんだときなども容易に脱落することなくより安定して眼鏡２を保持することができる。また、図１６に示すように、眼鏡２をスリット１８０に引っ掛けていない状態においても、スリット１８０が外見上見えることがないため、上衣１７１のデザイン性を損なわない。
【００４５】
前立て１７２にボタンホール１８１を設けない場合やボタンホールのない領域にスリット１８０を設ける場合は、前立て１７２の幅方向の略中央に表側及び裏側の布の縫い付け箇所を設け、眼鏡２のテンプルの先セルを引っ掛けることができるようにしても良い。また、前立て１７２が横断する方向において、前立て１７２及びスリット１８０の幅を約５．４ｃｍ以上の長さで形成すると、スリット１８０より裾側にあるボタンホール１８１が、前立て１７２のスリット１８０より裾側部１７６の裏側の布と、前身頃１７４との間で裾側への落下防止のストッパーとなり、スリット１８０内でクレジットカードなどを取り出し自在に保持することができる。尚、前立て１７２を構成する表側の布の幅を変えず、前立て１７２を構成する裏側の布の幅のみを広くすることができる。この場合、前立て１７２を構成する裏側の布の幅及びこれに設けるスリットの幅を収容対象となるカードの幅より大きくしても良い。このようなスリットを形成した場合、前立て１７２の幅が外見上広く見えることがないため、上衣１７１のデザイン性を損なわずに、クレジットカードなどを取り出し自在に保持することができる。
【００４６】
尚、本実施形態では、前立て１７２を横断する方向にスリット１８０を形成したが、前立て１７２のうち、ボタンホール１８１が設けられていない領域において、裏側の布に前立て１７２の長手方向に延びるスリット１８０を形成してもよいし、斜め方向等のその他の方向に延びるスリット１８０を形成してもよい。特に、挿入対象物（例えば、眼鏡）を挿入可能に形成すれば、スリット１８０を形成する方向は限定されない。また、スリット１８０の代わりに、裏側の布に開口部を設けても良い。また、前立て１７２に設けるスリットや開口部の数は１以上の任意で良い。
【００４７】
また、本実施形態では、襟とボタンを有する左前合わせの上衣を用いているが、襟の形状に限定されない。また、襟元から裾にかけて前立てが設けられている上衣ならば、右前でも左前でも良い。
【００４８】
（第６の実施形態）
図１９は、第６の実施形態に係る上衣２０１の胸元付近の前立て２０２を裏側から見た図である。第５の実施形態の構成要素と同一または対応する構成要素は同一の参照符号で示し、詳細な説明は省略する。上衣２０１は、表側及び裏側の２枚の布を重ね合わせて、襟元から裾にかけて延びる縫い目で縫い合わせた前立て２０２を備える。前立て２０２の一部には、長手方向に延びる縫い目を部分的に設けないことによって、表側及び裏側の布の間にスリット２００が形成されている。より具体的には、表側及び裏側の２枚の布の内側部分は長手方向の全体にわたって縫い付け糸１８０２によって縫い合わされているが、２枚の布の外側の端縁部分は、所定間隔を空けて縫い付け糸２００１及び２００２で縫合されている。
【００４９】
このように形成したスリット２００に眼鏡２のテンプルを差し込むことによって、眼鏡２のテンプルの先セルをボタンホール１８１に引っ掛けることができ、眼鏡２を安定に保持することができる。前立て２０２を構成する表側及び裏側の布の間で、眼鏡２のテンプルを押さえることができるので、かがんだときなどの脱落を防止し、より安定して眼鏡２を保持することができる。また、スリット２００は、２枚の布の間に設けられているため、眼鏡２をスリット２００に引っ掛けていない状態においても、スリット２００が外見上見えることがないため、上衣２０１のデザイン性を損なわない。
【００５０】
尚、本実施形態では、図１９における右側の部分において、縫い付け糸２００１と、縫い付け糸２００２との間を縫い付けないことによりスリット２００を形成しているが、図１９における左側の部分（内側部分）に、長手方向に延びる縫い目を部分的に設けないことによってスリットを形成してもよい。また、スリットの長さは挿入対象物（例えば、眼鏡）を挿入可能であれば、特に限定されるものではない。また、ボタンホール１８１を設けない場合は、前立て２０２を構成する表側及び裏側の布との縫い付け箇所を設け、眼鏡２のテンプルの先セルを引っ掛けることができるようにしても良い。
【００５１】
（変形例)
図２０は、変形例に係る上衣２１１の裾付近を裏側から見た図である。上衣２１１は、前身頃と、襟元から裾にかけて前立て２１２とを備え、前立て２１２の下端部２１３にあるボタンホール２１４の下方側に、前立て２１２を横断する方向において、前立て２１２または前立て２１２を構成する裏側の布のみ、幅を約５．４ｃｍ以上とし、スリット２１０の幅が約５．４ｃｍ以上となるように、スリット２１０を、第５の実施形態と同様の方法で形成したものである。
【００５２】
このスリット２１０を利用して、例えばＩＣカードをスリット２１０内に保持することができ、ＩＣカードを保持している裾付近をＩＣカードの読み取り部にかざすことにより、ＩＣカードを取り出さず容易に使用することができる。
【００５３】
尚、本変形例では、下端部２１３からの高さが挿入対象物（例えば、ＩＣカード）の長手方向の寸法以下となる位置にスリット２１０を設けると良い。
【００５４】
第５の実施形態、第６の実施形態及び変形例において、スリットは任意の箇所に設けても良い。スリットを任意の箇所に設け、ストッパーとなるボタンホール等がない場合は、適宜前立てと前身頃との縫い合わせ箇所を設ける等によりストッパーを設けても良い。
【００５５】
本発明に係る各実施形態及び変形例においては、眼鏡やペン等を保持する例を説明したが、保持対象物は、挿通孔またはスリットに差し込むことができるものであれば、特に限定されるものではない。
【００５６】
本発明によれば、上衣のデザイン性を損なわず、また特別な部材を必要とせずに眼鏡等を安定的に保持できる上衣を提供することができる。
【産業上の利用可能性】
【００５７】
本発明は、眼鏡等を挿入して保持できるシャツ等の上衣に有用である。
【符号の説明】
【００５８】
１、６１、１１１，１３１、１７１、２０１、２１１    上衣
２    眼鏡
３    ファスナー
４、１７４    前身頃
２０    飾り布
２１、２２、２３、７１、７２、７３、７４、７５、１１０１、１１０２、１３０１、１５０１、１８０１、１８０２、１８０３、２００１、２００２    縫い付け糸
３０    見返し
４０、７０    挿通孔
６２、１７２、２０２、２１２    前立て
６３    前立てに重なる前身頃
１２２    ペン
１７５    襟元側部
１７６    裾側部
１８０、２００、２１０    スリット
１８１、２１４    ボタンホール
２１３    下端部
７００    前立ての端縁
７０１    前立ての端縁側部
７０２    前立ての端縁と反対側部
１１００、１３００    袋
１１２０    袋の上端部
【図１】
0005259854.tif 000002
【図２】
0005259854.tif 000003
【図３】
0005259854.tif 000004
【図４】
0005259854.tif 000005
【図６】
0005259854.tif 000006
【図７】
0005259854.tif 000007
【図８】
0005259854.tif 000008
【図１０】
0005259854.tif 000009
【図１１】
0005259854.tif 000010
【図１２】
0005259854.tif 000011
【図１３】
0005259854.tif 000012
【図１４】
0005259854.tif 000013
【図１６】
0005259854.tif 000014
【図１７】
0005259854.tif 000015
【図１９】
0005259854.tif 000016
【図２０】
0005259854.tif 000017
【図５】
0005259854.tif 000018
【図９】
0005259854.tif 000019
【図１５】
0005259854.tif 000020
【図１８】
0005259854.tif 000021